(57)【要約】【課題】  健康管理のための複数のデータを簡易かつ統合的に測定、管理することができる健康管理システムを提供する。【解決手段】  少なくとも万歩計、血圧測定部、心拍数測定部、体温測定部及びこれらの測定データを表示する表示部を有する腕時計と、  該腕時計から有線又は無線でデータを受信可能な携帯電話と、  該携帯電話からインターネットを介して健康に関するデータを受け取り、登録者別に健康情報に関するデータを記録するデータベースを備えたホストコンピュータとからなることを特徴とするネット健康管理システム。【選択図】      図１
2005034547.tif 000002
【特許請求の範囲】
【請求項１】
少なくとも万歩計、血圧測定部、心拍数測定部、体温測定部及びこれらの測定データを表示する表示部を有する腕時計と、
該腕時計から有線又は無線でデータを受信可能な携帯電話と、
該携帯電話からインターネットを介して健康に関するデータを受け取り、登録者別に健康情報に関するデータを記録するデータベースを備えたホストコンピュータとからなることを特徴とするネット健康管理システム。
【請求項２】
少なくとも万歩計、血圧測定部、心拍数測定部、体温測定部及びこれらの測定データを表示する表示部を有するとともに、健康状態に関するデータを入力するためのデータ入力部を備え、かつ該健康状態に関するデータを送信可能な送信部を有する腕時計と、
該腕時計からインターネットを介して健康に関するデータを受け取り、登録者別に健康情報に関するデータを記録するデータベースを備えたホストコンピュータとからなることを特徴とするネット健康管理システム。
【請求項３】
該血圧測定部が指を挿入して血圧を測定するタイプのものであることを特徴とする請求項１又は２に記載のネット健康管理システム。
【請求項４】
該ホストコンピュータが医療機関に設置されていることを特徴とする請求項１〜３のいずれかに記載のネット健康管理システム。
【請求項５】
該データ入力部から入力されるデータが血糖値であることを特徴とする請求項１〜４のいずれかに記載のネット健康管理システム。
【発明の詳細な説明】
【技術分野】
【０００１】
本発明は、ネット健康管理システムに関し、詳しくは健康に関するデータを取得する機器を備えた腕時計を利用してインターネットを介して医療機関等におかれているホストコンピュータにデータを記録管理するネット健康管理システムに関するものである。
【背景技術】
【０００２】
近年、腕時計型血圧計が市販されている。この腕時計型血圧計は、圧迫帯機構を備え、バッグやポケットに入れて持ち歩くことができ、気になるときにどこでも血圧が測れ、血圧値がデジタル表示されるようになっている。また、血圧値を記憶できるメモリがついているものもある。ところで、上記のような腕時計型血圧計は、その場で血圧を測定して、その値を確認するもので、日々の健康に関するデータを管理するようなものではなかった。
【０００３】
一方、最近では生活習慣病とならないように健康維持のためウォーキングを行う人が増え、万歩計が多く使用されるようになっている。この万歩計も１日に何歩あるいたかをデジタル表示により確認するもので、日々の歩数等を記録するためには、紙に記入したり、パソコンにデータ入力したりしていた。
【０００４】
ところで、最近、高齢者の自立を促し、健康、生きがい、チャレンジをキーワードに高齢者の住みよい社会を形成する目的でネットワーク組織が形成されている。このようなネットワーク組織では、ネットによる健康管理、ウォーキングの奨励、会員の食事の調査と食事の改善指導等が行われているものがある。
【０００５】
しかしながら、健康管理のためのデータの取得、管理は医療機関にゆだねたり、血圧計や体脂肪計等の測定機器を用いて行っているのが実状であった。上記のような腕時計型血圧計のように単独のデータを簡便に測定してデータを知ることができるものもあるが、個人レベルで複数の健康に関するデータを簡易かつ統合的に測定、管理するようなものはなかった。
【発明の開示】
【発明が解決しようとする課題】
【０００６】
本発明は、このような実状に鑑みてなされたものであり、健康管理のための複数のデータを簡易かつ統合的に測定、管理することができるネット健康管理システムを提供することをその課題とする。
また、本発明は、上記のような老齢者ネットワーク組織等のような組織においてその目的達成に資することができるネット健康管理システムを提供することを別の課題とする。
さらに、本発明は、日々取得したデータを医療機関等で有効に利用することができるネット健康管理システムを提供することを別の課題とする。
【課題を解決するための手段】
【０００７】
本発明によれば、上記課題は下記の技術的手段により解決される。
（１）少なくとも万歩計、血圧測定部、心拍数測定部、体温測定部及びこれらの測定データを表示する表示部を有する腕時計と、
該腕時計から有線又は無線でデータを受信可能な携帯電話と、
該携帯電話からインターネットを介して健康に関するデータを受け取り、登録者別に健康情報に関するデータを記録するデータベースを備えたホストコンピュータとからなることを特徴とするネット健康管理システム。
（２）少なくとも万歩計、血圧測定部、心拍数測定部、体温測定部及びこれらの測定データを表示する表示部を有するとともに、健康状態に関するデータを入力するためのデータ入力部を備え、かつ該健康状態に関するデータを送信可能な送信部を有する腕時計と、
該腕時計から有線又は無線で通信ネットワークを介して健康に関するデータを受け取り、登録者別に健康情報に関するデータを記録するデータベースを備えたホストコンピュータとからなることを特徴とするネット健康管理システム。
（３）該血圧測定部が指を挿入して血圧を測定するタイプのものであることを特徴とする前記（１）又は（２）に記載のネット健康管理システム。
（４）該ホストコンピュータが医療機関に設置されていることを特徴とする前記（１）〜（３）のいずれかに記載のネット健康管理システム。
（５）該データ入力部から入力されるデータが血糖値であることを特徴とする前記（１）〜（４）のいずれかに記載のネット健康管理システム。
【発明の効果】
【０００８】
本発明によれば、上記構成を採用したので、健康管理のための複数のデータを簡易かつ統合的に測定、管理することができるネット健康管理システムを提供することをができる。
また、本発明によれば、上記のような老齢者ネットワーク組織等のような組織においてその目的達成に資することができるネット健康管理システムを提供することができる。
さらに、本発明によれば、日々取得したデータを医療機関等で有効に利用することができるネット健康管理システムを提供することができる。
【発明を実施するための最良の形態】
【０００９】
以下、本発明によるネット健康管理システムを具体例を挙げて詳述する。
図１は本発明によるネット健康管理システムの一構成例を模式的に示す図で、健康データ測定機能付き腕時計１０と、携帯電話２０と、ホストコンピュータ３０からなる。健康データ測定機能付き腕時計１０と携帯電話２０とはデータケーブル４０で接続できるようになっており、健康データ測定機能付き腕時計１０を用いて測定されたデータが携帯電話２０に転送可能となっている。携帯電話２０はインターネット５０を介してホストコンピュータ３０と接続され、データの送受信が可能となっている。
本例では、ネット健康管理システムが高齢者ネットワークの会員に適用されるものであり、ホストコンピュータ３０が病院等の医療関係施設に設置されているものとする。
【００１０】
本例の健康データ測定機能付き腕時計１０は本来の時計の機能の他、万歩計１１、血圧測定部１２、心拍数測定部１３、体温測定部１４が設けられている。これらの各部１１〜１４はこれらによる測定データを表示する表示部１５に接続されるとともに、入出力インターフェース（Ｉ／Ｏ）１６に接続されている。万歩計１１自体は従来公知の機能を備えたものであってよい。血圧測定部１２は指を挿入して血圧を測定する機能を有するものを用いる。このため血圧測定部１２は時計ベルトの外側に設けられる必要がある。心拍数測定部１３は手首に接触してその心拍を計測するセンサー機能を有するものを用いる。体温測定部１４は手首に接触して体温を測定するセンサー機能を有するものを用いる。心拍数測定部１３及び体温測定部１４は時計ベルトの内側に設けることができる。表示部１５は各部からのデータの表示を切り替える機能を有しており、使用者にデータを提示する。
【００１１】
携帯電話２０はインターネット接続機能を有している必要がある。携帯電話２０は上記各部１１〜１４以外の測定器、例えば血糖値測定器（図示せず）で測定したデータを入力して、上記各部１１〜１４で測定したデータと同様に、ホストコンピュータ３０に送信することができるようになっている。ホストコンピュータ３０は会員毎のデータを保存するデータベースを有しており、会員はＩＤ番号入力等によりそのデータにアクセスすることができるようになっている。
【００１２】
次に、上記のようなネット健康管理システムの使用例を述べる。
まず、高齢者ネットワークの各会員に健康データ測定機能付き腕時計１０をそれぞれ配布するとともに、ＩＤ番号を付与する。また、各会員にはインターネット接続機能付き携帯電話２０を用意してもらう。
例えば、会員が希望するサークルでウォーキングを行うときには、ウォーキング時に万歩計１１の機能により歩数や歩いた距離、消費カロリー等のデータが表示部１５に表示される。ウォーキングが終了した時あるいは帰宅時にこれらのデータはＩ／Ｏ１６よりデータケーブル４０を介して携帯電話２０に転送され、そのデータはインターネット５０を介してホストコンピュータ３０のデータベースに日付等のデータとともに記録される。
また、会員が血圧測定部１２により血圧を測定した場合には、その値は表示部１５に表示されるとともに、図示しないメモリに測定日時とともに一旦記録される。心拍数測定部１３や体温測定部１４による測定データも同様に、表示部１５に表示されるとともに、図示しないメモリに測定日時とともに一旦記録される。そして、上記のように、これらのデータはＩ／Ｏ１６よりデータケーブル４０を介して携帯電話２０に転送され、これらのデータはインターネット５０を介してホストコンピュータ３０のデータベースに日時等のデータとともに記録される。
健康データ測定機能付き腕時計１０に搭載された健康データ測定機器以外の測定機器、例えば血糖値測定器等で測定されたデータは、携帯電話２０から手入力して上記データとともにホストコンピュータ３０に送信することができる。
【００１３】
会員は自分のＩＤ番号を入力することにより、ホストコンピュータ３０に記録された自分のデータにアクセスすることができる。また、これらのデータは医師等が見ることができるようになっており、健康管理指導や治療等にも資するようになっている。
【００１４】
本ネット健康管理システムによれば、会員は携帯可能な健康データ測定機能付き腕時計１０により、歩行数や、血圧、心拍数、体温等の健康データを容易にしかも任意の場所で知ることができ、これらのデータはインターネット接続機能付き携帯電話２０を介してホストコンピュータ３０に記録されるので、これらのデータを有効に利用することができる。
【００１５】
以上、本発明を一構成例に基づいて説明してきたが、本発明は上記構成例に限定されず、種々の変形、変更が可能である。
例えば、健康データ測定機能付き腕時計１０に通信機能を持たせ、直接ホストコンピュータ３０にデータを送信してもよい。この場合、健康データ測定機能付き腕時計１０にデータ入力部を設け、そこから血糖値等の測定データを入力してホストコンピュータ３０に送信するようにしてもよい。
また、上記では高齢者ネットワークの会員を例にしたが、もちろんこれに限定されず、各種の使用形態が可能である。
また、上記では健康データ測定機能付き腕時計１０と携帯電話２０とのデータ転送をデータケーブル４０を介して行ったが、無線で行うようにしてもよい。
【図面の簡単な説明】
【００１６】
【図１】本発明によるネット健康管理システムの一構成例を模式的に示す図である。
【符号の説明】
【００１７】
１０  健康データ測定機能付き腕時計
２０  インターネット接続機能付き携帯電話
３０  ホストコンピュータ
４０  データケーブル
５０  インターネット
１１  万歩計
１２  血圧測定部
１３  心拍数測定部
１４  体温測定部
１５  表示部
１６  入出力インターフェース（Ｉ／Ｏ）
【図１】
2005034547.tif 000003